(57)【要約】【課題】車外または屋外での道案内を低価格な機器を利用して実現することができるナビゲーション装置を提供すること。【解決手段】ＣＰＵ５は、ＲＯＭ４に格納されたナビゲーション用プログラムを実行して、探索された経路に対応する音声案内データ２４と交差点名データ２５をＨＤＤ５から読出し、探索された経路に対応する音声案内データ２４とこの音声案内データ２４に対応する交差点名データ２５とを結合して、圧縮された結合データをメモリスロット１１に挿入された外部メモリ１０の記憶領域に転送する。【選択図】図３
2006029894.tif 000002
【特許請求の範囲】
【請求項１】
コンピュータを、目的地まで音声案内するための音声案内データをこの音声案内データを記憶する地図データベースから外部メモリに転送する転送手段として機能させるためのナビゲーション用プログラム。
【請求項２】
前記転送手段は、交差点名を表示するための交差点名データをこの交差点名データを記憶する地図データベースから外部メモリに転送することを特徴とする請求項１に記載のナビゲーション用プログラム。
【請求項３】
コンピュータを、前記転送手段によって転送される音声案内データとこの音声案内データに対応する交差点名データとを結合する結合手段として機能させることを特徴とする請求項２に記載のナビゲーション用プログラム。
【請求項４】
前記結合手段は、前記転送手段によって転送される音声案内データ、この音声案内データに対応する交差点名データおよび無音を示すブランクデータを結合することを特徴とする請求項３に記載のナビゲーション用プログラム。
【請求項５】
前記転送手段は、第１の交差点を音声案内するための第１の音声案内データおよび第２の交差点を音声案内するための第２の音声案内データをそれぞれ前記外部メモリの異なる記憶領域に転送することを特徴とする請求項１ないし請求項４の何れかに記載のナビゲーション用プログラム。
【請求項６】
請求項１ないし請求項５の何れかに記載のナビゲーション用プログラムを実行することを特徴とするナビゲーション装置。
【発明の詳細な説明】
【技術分野】
【０００１】
本発明は、ユーザを目的地まで案内するナビゲーション装置に関するものである。
【背景技術】
【０００２】
従来のナビゲーション装置として、ナビゲーション装置本体と、ナビゲーション装置本体に着脱可能に設けられた表示操作ユニットとを備え、表示操作ユニットがナビゲーション装置本体から転送された地図データを記憶しこの地図データに基づいて経路案内を行うことを特徴とするナビゲーション装置が知られている（例えば、特許文献１を参照）。
【特許文献１】特開２００３−３１５０６５号公報（第５頁、図２を参照）
【発明の開示】
【発明が解決しようとする課題】
【０００３】
しかしながら、従来のナビゲーション装置においては、地図データがナビゲーション装置本体から表示操作ユニットに転送されているにすぎないので、ユーザは車外で道案内を希望する場合に表示操作ユニットを車外に持ち出さなければならず、余計な荷物が増えてしまうという問題があった。
【０００４】
この点、余計な荷物を増やすことなく車外での道案内を実現するものとして、地図データをユーザが常日頃から持ち歩いているＰＤＡに転送することが考えられる。ところが、ＰＤＡは高価格であってその普及率も低いので、地図データを低価格な機器に転送できるようにすることが好ましい。
【０００５】
そこで、本発明は、従来の問題を解決するためになされたもので、車外または屋外での道案内を低価格な機器を利用して実現することができるナビゲーション装置を提供することを目的とする。
【課題を解決するための手段】
【０００６】
本発明に係るナビゲーション装置は、目的地まで音声案内するための音声案内データをこの音声案内データを記憶する地図データベースから外部メモリに転送する転送手段としてコンピュータを機能させるためのナビゲーション用プログラムを実行する構成を有している。
【０００７】
この構成によれば、音声案内データが外部メモリを介して端末装置に転送されるので、車外または屋外での道案内を低価格な機器を利用して実現することができる。
【発明の効果】
【０００８】
本発明は、目的地まで音声案内するための音声案内データをこの音声案内データを記憶する地図データベースから外部メモリに転送する転送手段としてコンピュータを機能させるためのナビゲーション用プログラムを設けることによって、車外または屋外での道案内を低価格な機器を利用して実現することができるという効果を有するナビゲーション装置を提供することができるものである。
【発明を実施するための最良の形態】
【０００９】
以下、本発明に係るナビゲーション装置を実施するための最良の形態について、図１ないし図４を参照しながら説明する。図１に示すように、ナビゲーション装置１は、Ｉ／Ｆ２と、地図データベースとしてのＨＤＤ３と、各種プログラムを格納するＲＯＭ４と、ＲＯＭ４に格納された各種プログラムを実行してデータを処理するＣＰＵ５と、ＣＰＵ５によって処理されたデータなどを保持するＲＡＭ６とを備える。
【００１０】
Ｉ／Ｆ２には、ユーザが出発地や目的地などを設定するために操作する操作部７、音声を出力するスピーカ８、画像を出力するディスプレイ９、ＳＤメモリなどの外部メモリ１０を挿入するためのメモリスロット１１、ＧＰＳ電波を受信するＧＰＳレシーバ１２と、車速を検知する車速センサ１３および方位を検知する方位センサ１４が接続されている。
【００１１】
ＨＤＤ３には、経路探索に用いられる経路探索データ２１などが記憶されている。図２に示すように、経路探索データ２１は、リンクコストの計算に用いられるリンクコストデータ２２、ノードとノードとの接続を示すノードデータ２３、交差点名を表示するための交差点名データ２４や各交差点を音声案内するための音声案内データ２５などで構成されている。
【００１２】
ＲＯＭ４には、ＣＰＵ５などを、目的地まで音声案内するための音声案内データをこの音声案内データを記憶する地図データベースから外部メモリに転送する転送手段と、転送手段によって転送される音声案内データとこの音声案内データに対応する交差点名データとを結合する結合手段として機能させるためのナビゲーション用プログラムが格納されている。このナビゲーション用プログラムは、さらに、ＣＰＵ５などを、交差点名を表示するための交差点名データをこの交差点名データを記憶する地図データベースから外部メモリに転送する転送手段として機能させる。また、本実施の形態に係るナビゲーション用プログラムは、コンピュータを転送手段によって転送される音声案内データ、この音声案内データに対応する交差点名データおよび無音を示すブランクデータを結合する結合手段として機能させる。
【００１３】
以上のように構成されたナビゲーション装置１について、図３および図４を参照しながらその動作を説明する。図３に示すように、ＣＰＵ５は、ＲＯＭ４に格納されたナビゲーション用プログラムを実行して、経路探索が要求されているか否かを判定する（ステップＳ１）。具体的には、操作部７によって入力された出発地データや目的地データなどがＲＡＭ６に保持されているか否かが判定される。
【００１４】
ステップＳ１において、経路探索が要求されていないとの判定がなされると（Ｓ１のＮｏ）、ＣＰＵ５は、ＲＯＭ４に格納されたナビゲーション用プログラムを実行して、経路探索に係るデータ処理を終了する。
【００１５】
他方、ステップＳ１において、経路探索が要求されているとの判定がなされると（Ｓ１のＹｅｓ）、ＣＰＵ５は、ＲＯＭ４に格納されたナビゲーション用プログラムを実行して、ＨＤＤ３に記憶されたリンクコストデータ２２やノードデータ２３などを読み出す（ステップＳ２）。
【００１６】
リンクコストデータ２２などが読み出されると、ＣＰＵ５は、ＲＯＭ４に格納されたナビゲーション用プログラムを実行して、出発地から目的地までの経路を探索する（ステップＳ３）。
【００１７】
経路が探索されると、ＣＰＵ５は、ＲＯＭ４に格納されたナビゲーション用プログラムを実行して、探索された経路に対応する音声案内データ２４をＨＤＤ３から読み出す（ステップＳ４）。つまり、探索された経路上に存在する各案内地点で音声案内を行うための音声案内データ２４が読み出される。例えば、交差点付近で音声案内を行うための音声案内データ２４の一例として、「交差点を右です。」といったものがある。
【００１８】
音声案内データ２４が読み出されると、ＣＰＵ５は、ＲＯＭ４に格納されたナビゲーション用プログラムを実行して、音声案内される交差点名を表示するための交差点名データ２５をＨＤＤ３から読み出す（ステップＳ５）。交差点名データ２５の一例として、「数寄屋橋交差点」と表示するためのものがある。
【００１９】
交差点名データ２５が読み出されると、ＣＰＵ５は、ＲＯＭ４に格納されたナビゲーション用プログラムを実行して、音声案内データ２４とこの音声案内データ２４に対応する交差点名データ２５とを結合する（ステップＳ６）。
【００２０】
例えば、数寄屋橋交差点の手前で「交差点を右です。」との音声案内が行われる場合、図４に示すように、「数寄屋橋交差点」との交差点名を表示するための交差点名データ２５ａ、「交差点を右です」との音声案内を出力するための音声案内データ２４ａおよび無音を示すブランクデータ２６が結合される。そして、「数寄屋橋交差点」との交差点名はヘッドホンステレオの操作部３１に表示され、「交差点を右です」との音声案内はヘッドホンステレオのイヤホン３２に出力される。また、図示しないヘッドホンステレオ本体は、ブランクデータを認識することによってある音声案内データと他の音声案内データとを区切りを認識する。
【００２１】
ステップＳ６において音声案内データ２４などが結合されると（以下、音声案内データ２４などが結合されたものを結合データという）、ＣＰＵ５は、ＲＯＭ４に格納されたナビゲーション用プログラムを実行して、結合データを圧縮する（ステップＳ７）。
【００２２】
結合データが圧縮されると、ＣＰＵ５は、ＲＯＭ４に格納されたナビゲーション用プログラムを実行して、圧縮された結合データをメモリスロット１１に挿入された外部メモリ１０の記憶領域に転送する（ステップＳ８）。
【００２３】
以上本実施の形態によれば、音声案内データ２４が外部メモリ１０に転送されるので、外部メモリ１０を利用可能なヘッドホンステレオなどの安価な機器を利用して音声案内を実現することができる。
【００２４】
また、本実施の形態によれば、音声案内データ２４ａはこの音声案内データ２４ａに対応する交差点名データ２５ａと結合した状態で転送されるので、交差点名をヘッドホンステレオの操作部３１に表示することができる。
【００２５】
また、本実施の形態によれば、音声案内データ２４ａと他の音声案内データとの間にブランクデータが存在するので、各交差点についての音声案内データ２４を容易にサーチさせることができる。
【００２６】
なお、ナビゲーション用プログラムは、ＣＰＵ５などを、第１の交差点を音声案内するための第１の音声案内データおよび第２の交差点を音声案内するための第２の音声案内データをそれぞれ外部メモリ１０の異なる記憶領域に転送する転送手段として機能させてもよい。
【００２７】
例えば、数寄屋橋交差点を音声案内するための第１の音声案内データと銀座四丁目交差点を音声案内するための第２の音声案内データとはそれぞれ外部メモリ１０の異なる記憶領域に転送される。ここで、外部メモリ１０がディスク型メモリであれば、第１の音声案内データと第２の音声案内データとはそれぞれ異なるトラックに転送される。
【００２８】
このように、第１の交差点を音声案内するための第１の音声案内データおよび第２の交差点を音声案内するための第２の音声案内データがそれぞれ外部メモリ１０の異なる記憶領域に転送されるので、各交差点についての音声案内データを容易にサーチさせることができる。
【産業上の利用可能性】
【００２９】
以上のように、本発明に係るナビゲーション装置は、車外または屋外での道案内を低価格な機器を利用して実現することができるという効果を有し、車載ＡＶ機器などとして有用である。
【図面の簡単な説明】
【００３０】
【図１】本発明の最良の実施の形態に係るナビゲーション装置のハードウエア構成を示すブロック図
【図２】本実施の形態における地図データベースの構成を示す図
【図３】本実施の形態に係るナビゲーション装置の動作を示すフローチャート
【図４】交差点名データ、音声案内データおよびブランクデータの結合関係を示す図
【符号の説明】
【００３１】
１    ナビゲーション装置
３    ＨＤＤ（地図データベース）
４    ＲＯＭ（転送手段、結合手段）
５    ＣＰＵ（転送手段、結合手段）
１０    外部メモリ
【図１】
2006029894.tif 000003
【図２】
2006029894.tif 000004
【図３】
2006029894.tif 000005
【図４】
2006029894.tif 000006